(57)【要約】【課題】液晶表示素子を使用した表示装置において、中間調の階調再現の劣化を抑える。【解決手段】ＡＤＣ１と、スケーリング変換回路２と、デジタルγ補正回路３と、ＤＡＣ４と、ブライト・コントラスト制御回路５と、サンプルホールド回路６と、液晶表示素子７と、黒伸長信号作成回路８と、信号セレクタ９を具備する液晶表示装置において、スケーリング変換回路２またはデジタルγ補正回路３からの切換制御信号に基づいて、ブライト・コントラスト制御回路５または黒伸張信号作成回路８からの信号を選択してサンプルホールド回路９へ出力し、デジタルγ補正回路出力後のアナログ映像信号に黒伸長を施すようにした液晶表示装置。【選択図】        図１
2004246093.tif 000002
【特許請求の範囲】
【請求項１】
映像信号のスケーリング変換回路を有する液晶表示素子を使用した表示装置において、スケーリング変換情報に基づき、デジタルγ補正回路出力後のアナログ映像信号に黒伸長を施すことを特徴とする液晶表示装置。
【請求項２】
デジタルγ補正回路を有する液晶表示素子を使用した表示装置において、デジタルγ補正回路におけるデジタル映像信号の黒検出に基づき、デジタルγ補正回路出力後のアナログ映像信号に黒伸長を施すことを特徴とする液晶表示装置。
【請求項３】
デジタルγ補正回路を有する液晶表示素子を使用した表示装置において、デジタルγ補正回路におけるデジタル映像信号の白検出に基づき、デジタルγ補正回路出力後のアナログ映像信号に白伸長を施すことを特徴とする液晶表示装置。
【発明の詳細な説明】
【０００１】
【発明の属する技術分野】
本発明は、液晶表示装置の信号処理技術に関する。
【０００２】
【従来の技術】
一般的な液晶表示装置は、液晶を封入した基板間の電圧−透過率の特性を利用して映像を表示する。ノーマリーホワイトモードの液晶表示素子の一般的な電圧Ｖ−透過率特性Ｔを図２に示す。ノーマリーホワイトモードの液晶表示装置の電圧−透過率特性は、印加電圧の低い（白表示）部分および印加電圧の高い（黒表示）部分では電圧変化に対応する透過率の変化が緩やかであり、液晶表示装置で黒を表示する場合、印加電圧を増大させても透過率は０％にはならず実際には僅かながら光を漏らしている。一方、自発光式のＣＲＴの場合、黒の表示時は発光がないため、表示装置の表面での反射光を無視すれば、完全な黒を表現できる。
【０００３】
このため、液晶を表示素子に用いた表示装置は、自発光式の表示装置に比べると黒表示時の品位が問題視される。この問題は、映像の品位に留まらず、例えばアスペクト比４：３型の表示装置でアスペクト比１６：９の映像を表示すると上下に無信号の領域ができるため通常黒を表示するが、液晶表示素子を用いた表示装置の場合はこの領域が僅かながら光ってしまい、品位を悪くする要因になっている。
【０００４】
この問題に対応するために、レンズにより１６：９の映像信号の領域のみに光源の光をあてることによる改善策が行われてきている。また、画像の左右または上下に画像を表示せずにアスペクト比の異なる画面を表示できるようにしたテレビ受像機における、長期間にわたる使用によって画像を表示する領域と画像表示領域以外の領域との間に蛍光面の焼き付きの差が生じるのを防ぐため、非画像表示領域に擬似画像を映出し、非画像表示領域上に設けた液晶によるシャッターを動作させて擬似画像の光の漏れを防ぐことが提案されている（例えば、特許文献１参照）。
【０００５】
【特許文献１】
特開平２−２３３０７８号公報
【０００６】
これら機構による対策は表示装置の構造を大型化するとともに価格を押し上げる要因となり、投射型の表示装置の一部でのみ使用されるに留まる。
【０００７】
液晶表示素子における黒表示時の輝度は、液晶基板間の電圧を上げることにより改善されるが、電圧−透過率の特性（Ｖ−Ｔ特性）は図２に示すように線形の特性ではないことから、一般的な液晶表示装置では入力された映像信号を表示画面上で階調を再現するためにγ補正と呼ばれる処理を施す。
【０００８】
デジタルγ補正回路を用いた従来の液晶表示装置の回路ブロック図の一例を、図５を用いて説明する。従来の液晶表示装置は、ＡＤＣ（Ａｎａｌｏｇ  Ｄｉｇｉｔａｌ  Ｃｏｎｖｅｒｔｅｒ）１と、スケーリング変換回路２と、デジタルγ補正回路３と、ＤＡＣ（Ｄｉｇｉｔａｌ  Ａｎａｌｏｇ  Ｃｏｎｖｅｒｔｅｒ）４と、ブライト・コントラスト制御回路５と、サンプルホールド回路６と、液晶表示素子７とを有して構成される。
【０００９】
表示装置に入力された映像信号は、ＡＤＣ１でデジタルデータ化され、スケーリング変換回路２で映像信号の入力フォーマットを固定画素である液晶表示素子にあわせたスケーリング変換処理が施され、デジタルγ補正回路３で液晶表示素子のＶ−Ｔ特性を補正するγ補正が施され、ＤＡＣ４でアナログ信号に再変換され、ブライト・コントラスト制御回路５で映像信号をパネルに合わせた黒レベル振幅に変換し、サンプルホールド回路６で信号の反転駆動および液晶表示素子のドライバーに合わせて相展開され、液晶表示素子７で映像が表示される。
【００１０】
図３は電圧−透過率特性（図３（Ａ））の比較的線形の領域を映像表現に利用する場合のγ補正（図３（ｂ））の一例を、図４は電圧−透過率特性（図４（ａ））が非線形の領域まで利用して黒表示時の輝度を落とす場合のγ補正（図４（ｂ））の一例を示す。図４（Ａ）のように黒の電圧を非線形の領域に設定すると、γ補正において入力信号レベルが小さい場合は急激に出力レベルを上げないと階調がつぶれてしまうため、γ補正のカーブが図３に比べると中間調から上の階調においてはγの傾斜が緩くなる。
【００１１】
ＡＤＣ１、スケーリング処理回路２、デジタルγ補正回路３、ＤＡＣ４が全て８ｂｉｔで処理する場合、図４（ｂ）のγ補正では中間調から上の階調においてＡＤＣ１の出力信号が１ｂｉｔ変化してもγ補正回路３で変換されたときに変化しない階調が存在することを意味し、黒側の電圧を極端に振ることは中間調の階調表現力を犠牲にするという弊害がある。
【００１２】
また、基板間の電圧を低くすれば、白輝度を上げることができるが黒側での説明と同様に、中間調以下の階調再現性を犠牲にしてしまうという問題がある。
【００１３】
【発明が解決しようとする課題】
上記問題点に鑑み、本発明は、映像信号のスケーリング変換回路を有する液晶表示素子を使用した表示装置において、映像を表示しない領域の黒の輝度を落とし中間調の階調再現の劣化を抑えることを第１の目的とする。
【００１４】
また、本発明は、デジタルγ補正回路を有する液晶表示素子を使用した表示装置において、表示映像の黒の輝度を落とし中間調の階調再現の劣化を抑えることを第２の目的とする。
【００１５】
さらに、本発明は、デジタルγ補正回路を有する液晶表示素子を使用した表示装置において、表示映像の白の輝度を上げ中間調の階調再現の劣化を抑えることを第３の目的とする。
【００１６】
本発明は、液晶表示素子を使用した表示装置において、中間調の階調再現の劣化を抑えることを共通の目的とする。
【００１７】
【課題を解決するための手段】
上記第１の目的を解決するために、本発明は、映像信号のスケーリング変換回路を有する液晶表示素子を使用した表示装置において、スケーリング変換情報に基づき、デジタルγ補正回路出力後のアナログ映像信号に黒伸長を施すことで映像を表示しない領域の黒の輝度を落とし中間調の階調再現の劣化を抑えるようにした。
【００１８】
上記第２の目的を達成するために、本発明は、デジタルγ補正回路を有する液晶表示素子を使用した表示装置において、デジタルγ補正回路におけるデジタル映像信号の黒検出に基づき、デジタルγ補正回路出力後のアナログ映像信号に黒伸長を施すことで表示映像の黒の輝度を落とし中間調の階調再現の劣化を抑えるようにした。
【００１９】
第３の目的を達成するために、本発明は、デジタルγ補正回路を有する液晶表示素子を使用した表示装置において、デジタルγ補正回路におけるデジタル映像信号の白検出に基づき、デジタルγ補正回路出力後のアナログ映像信号に白伸長を施すことで表示映像の白の輝度を上げ中間調の階調再現の劣化を抑えるようにした。
【００２０】
【発明の実施の形態】
本発明の第１の実施の形態にかかる液晶表示装置の回路構成およびその動作について、図１および図８と従来例図６および図７を用いて説明する。
【００２１】
図１を用いて、本発明の第１の実施の形態にかかる液晶表示装置の回路構成およびその働きを説明する。
【００２２】
この液晶表示装置は、ＡＤＣ１と、スケーリング変換回路２と、デジタルγ補正回路３と、ＤＡＣ４と、ブライト・コントラスト制御回路５と、サンプルホールド回路６と、液晶表示素子７と、黒伸長信号作成回路８と、信号セレクタ９を具備して回路が構成される。
【００２３】
黒伸張信号作成回路８は、黒伸張信号を出力する。信号セレクタ９は、スケーリング変換回路２からの切換制御信号に基づいて、ブライト・コントラスト制御回路５または黒伸張信号作成回路８からの信号を選択して、サンプルホールド回路に出力するセレクタである。
【００２４】
液晶表示装置に入力された映像信号は、ＡＤＣ１でデジタルデータ化され、スケーリング変換回路２において映像信号の入力フォーマットを固定画素である液晶表示素子にあわせたスケーリング変換処理、フレームレート変換処理が施され、デジタルγ補正回路３で液晶表示素子のＶ−Ｔ特性を補正するγ補正が施され、ＤＡＣ４でアナログ信号に再変換され、ブライト・コントラスト制御回路５で映像信号をパネルに合わせた黒レベル、振幅に変換される。この信号と黒伸長信号作成回路８からの信号をスケーリング変換回路２からの切換制御信号に基づき、信号セレクタ９で切り換える。信号セレクタ９からの信号は、サンプルホールド回路６で信号の反転駆動、および液晶表示素子のドライバーに合わせて相展開され、液晶表示素子７で映像が表示される。
【００２５】
液晶表示素子７の表示画素構成が、１０２４×７６８のＸＧＡでアスペクト比４：３であり、入力信号が、左半分が黒、右半分が黒から白までリニアのランプ波形の場合の処理を、図６〜図８を用いて更に詳細に例示する。映像信号には各種のフォーマットがあり、一般的なＰＣであれば４：３のアスペクト比信号として、ＶＧＡ、ＳＶＧＡ、ＸＧＡ、ＵＸＧＡ信号などがある。
【００２６】
これらの信号の場合は、アスペクト比が入力信号と液晶表示素子で同一であるため、スケーリング変換回路２でＸＧＡに変換した場合は、図６の上段に示すように液晶表示素子全体に画像が表示される。したがって、映像を表示しない領域がないことから、ブライト・コントラスト制御回路５から図６中段に示す信号が出力される。スケーリング変換回路２は、ブライト・コントラスト制御回路５の出力信号を選択する切換制御信号（図６下段）Ｌを信号セレクタ９へ出力する。よって、サンプルホールド回路６には図６の中段に示す入力信号が入力される。
【００２７】
スケーリング変換回路２におけるスケーリング処理は、表示画素構成よりも入力映像信号の解像度が低ければ拡大処理を、高ければ縮小処理を行なうが、この処理を行なうことで映像信号の劣化（拡大であればボケ、縮小であれば欠落）が表示映像に表れることとなるので、元の信号のドット構成をそのまま表示するドットバイドットモードが用意される。ここで、８００×６００のＳＶＧＡ信号が入力されている時であれば、１０２４×７６８の表示エリアのうち、８００×６００の領域にのみ入力映像信号を表示し、その周辺部は元の映像信号がないので、従来、この無信号部分のデジタルデータにスケーリング変換回路２において黒に相当するデータを埋め込み、図７中段に示すサンプルホールド回路６の入力信号を得て、図７上段に示すような周囲を多少の輝度がある黒枠で囲んだ画面表示が得られる。
【００２８】
図８は、図１に示した第１の実施の形態にかかる液晶表示装置における、画面表示例（図８上段）、およびそのときの表示画面のある１水平ラインにおけるサンプルホールド回路６の入力信号（図８中断）、信号セレクタ９の切換制御信号（図８下段）の動作態様の一例である。
【００２９】
第１の実施の形態においては、スケーリング変換回路２から図８下段に示すタイミングで切換制御信号を出力する。この切換制御信号は、無信号部分に相当するタイミングでＨが、入力映像信号を表示する領域ではＬが出力される。信号セレクタ９が、切換制御信号がＬのときブライト・コントラスト制御回路５からの出力信号を、切換制御信号がＨのときは黒伸長信号作成回路８からの信号を選択することで、ブライト・コントラスト制御回路５の設定とは独立して無信号部分の黒表示における液晶基板間の電圧を黒伸長信号作成回路８で設定することができる。
【００３０】
これにより、ブライト・コントラスト制御回路５で階調再現性の良好な設定を行ないつつ、無信号部分の黒の輝度を落とすことができる。
【００３１】
本発明の第２の実施形態にかかる液晶表示装置の回路構成と動作について、図９および図１２と従来例の図１０および図１１を用いて説明する。図９は第２の実施の形態にかかる液晶表示装置の回路構成を説明するブロック図である。この実施の形態では、図１に示した第１の実施の形態と異なり、信号セレクタ９の切換制御をスケーリング回路２ではなく、デジタルγ補正回路３で行う点に特徴を有している。また、第１の実施形態との動作の違いをわかり易くするため、図１０〜図１２の中段に示す表示映像の左半分は黒信号、右半分は黒から白までリニアのランプ波形の信号を入力映像信号として扱う。第２の実施の形態でも第１の実施の形態と同じく８００×６００のＳＶＧＡ信号が入力されている時にＸＧＡの液晶表示素子で表示する場合の動作で説明する。ドットバイドット表示モードの時、１０２４×７６８の表示エリアのうち、８００×６００の領域にのみ入力映像信号を表示し、その周辺部は元の映像信号がないため、通常、この無信号部分のデジタルデータにスケーリング変換回路２において黒に相当するデータを埋め込むことによって、図１１の上段に示す画面表示が得られる。
【００３２】
図１２は、図９に示した本実施の形態のおける画面表示例（上段）、およびそのときの表示画面のある１水平ラインにおけるサンプルホールド回路６の入力信号（中段）、信号セレクタ９の切換制御信号（下段）の動作態様の一例である。この実施の形態においては、このデジタルデータの黒に相当するタイミングでデジタルγ補正回路３から切換制御信号をＨで、入力映像信号を表示する領域ではＬで出力し、この切換制御信号がＬのとき信号セレクタ９はブライト・コントラスト制御回路５からの出力信号を、切換制御信号がＨのときは黒伸長信号作成回路８からの信号を選択することで、ブライト・コントラスト制御回路５の設定とは独立して黒表示における液晶基板間の電圧を黒伸長信号作成回路８で設定することができる。
【００３３】
これにより、ブライト・コントラスト制御回路５で階調再現性の良好な設定を行ないつつ、黒信号部分の黒の輝度を落とすことができる。この実施の形態は、第１の実施の形態とは異なり入力映像信号でデジタルデータで黒と処理される信号レベルのものは信号セレクタ９により黒伸長信号生成回路８からの信号が選択されるので、デジタルγ補正回路において黒と処理される信号レベルと黒と処理されない信号レベルの繋ぎ目の変換データを最適化することで、黒とその上の階調の連続性を改善することができる。
【００３４】
なお、図１、図９では信号セレクタ９による信号の切り換えによって黒伸長信号の埋め込みを行なっているが、アナログスイッチにより切換制御期間に黒伸長信号作成回路の信号と接続し黒伸長信号を埋め込むことも可能であるが、これはブライト・コントラスト制御回路５の出力回路とサンプルホールド回路６の入力回路により、どちらが適当であるか依存するため、本発明は黒信号の埋め込みを図例のセレクタ方式に限定するものではない。
【００３５】
また、図では回路をブロック図で扱っているが、本発明は回路を図例に限定するものではなく、例えばスケーリング変換回路２とデジタルγ補正回路３を１チップのＩＣで処理する場合も同様の効果を持たせることができる。また、マイコンとスケーリング変換回路２を組み合わせ、ユーザーの指示するスケーリングをマイコンがスケーリング回路に指定するとともに、マイコンにより信号セレクタ９の制御を行なうことでも、同様の効果を持たせることができる。
【００３６】
本発明の第３の実施形態にかかる液晶表示装置における回路構成とその動作の態様について、図１３および図１６と従来例の図１４および図１５を用いて説明する。図１３は第３の実施の形態を表す液晶表示装置の回路ブロック図である。
【００３７】
第３の実施の形態にかかる液晶表示装置は、ＡＤＣ１と、スケーリング変換回路２と、デジタルγ補正回路３と、ＤＡＣ４と、ブライト・コントラスト制御回路５と、サンプルホールド回路６と、液晶表示素子７と、信号セレクタ９と、白伸長信号作成回路１０を具備して回路が構成される。白信号伸長回路１０は、デジタルγ補正回路３から出力される切換制御信号によって制御される信号セレクタ９の一方の入力信号を出力する。
【００３８】
第２の実施形態との動作の違いをわかり易くするため、図１４の上段および中段に示すように、表示映像の左半分は白信号、右半分は白から黒までリニアのランプ波形の信号を入力映像信号として扱う。第３の実施の形態でも第２の実施の形態と同じく８００×６００のＳＶＧＡ信号が入力されている時にＸＧＡの液晶表示素子で表示する場合の動作で説明する。
【００３９】
ドットバイドット表示モードの時、１０２４×７６８の表示エリアのうち、８００×６００の領域にのみ入力映像信号を表示し、その周辺部は元の映像信号がないため、通常、この無信号部分のデジタルデータにスケーリング変換回路２において黒に相当するデータを埋め込んでいる。この場合は、図１５上段に示すような黒に相当する縁取りがなされた画面表示が得られる。
【００４０】
図１６は、図１３のブロック図に示した液晶表示装置における画面表示例（上段）、およびそのときの表示画面のある１水平ラインにおけるサンプルホールド回路６の入力信号（中段）、信号セレクタ９の切換制御信号（下段）の動作態様の一例である。
【００４１】
第３の実施の形態においては、デジタルγ補正回路３から出力する切換制御信号を、白１００％のデジタルデータに相当するタイミングでＨで、入力映像信号を表示する領域ではＬで出力し、この切換制御信号がＬのとき信号セレクタ９はブライト・コントラスト制御回路５からの出力信号を、切換制御信号がＨのときは白伸長信号作成回路１０からの信号を選択することで、ブライト・コントラスト制御回路５の設定とは独立して白１００％表示における液晶基板間の電圧を白伸長信号作成回路１０で設定することができる。これにより、ブライト・コントラスト制御回路５で階調再現性の良好な設定を行ないつつ、白１００％信号部分の白の輝度を上げることができる。
【００４２】
この第３の実施の形態は、第２の実施の形態とは異なり、入力映像信号でデジタルデータで白１００％と処理される信号レベルのものは信号セレクタ９により白伸長が行われるため、デジタルγ補正回路３において白１００％と処理される信号レベルと処理されない信号レベルの繋ぎ目の変換データを最適化することで、白１００％とその下の階調の連続性を改善することができる。
【００４３】
なお、第１の実施の形態または第２の実施の形態における黒信号伸長信号作成回路８、または第３の実施の形態のおける白伸長信号作成回路１０は、簡易な回路にするのであれば電源電圧の抵抗分圧等で作成可能であり、ＤＡＣを使用すれば所望の電圧値をソフトウェア制御により可変させることもでき、また温度補正、出力電流の増大のためにオペアンプやトランジスタによる回路等で構成することも考えられるが、本発明は、黒伸長信号作成回路８または白伸長信号学生回路１０の回路構成方式を上記の方式に限定するものではない。
【００４４】
また、図１、図９、図１３では簡略化のため、ＲＧＢ信号の内、１系統を模式しているが、本発明は回路を１系統に制限するものではなく、ＲＧＢを３枚の液晶表示素子で独立して表示する液晶投射型装置などでは回路を３系統持たせれば本発明に基づく効果を持たせることができる。また、入力映像信号がビデオ信号であればビデオ信号をＲＧＢ信号に変換する回路をＡＤＣ１の前に持つことで本発明に基づく効果を持たせることが可能であり、本発明は入力映像信号をＲＧＢ信号に限定するものではない。
【００４５】
さらに、通常、入力映像信号を８ビットでデジタルデータ処理する場合は００ｈが黒、ＦＦｈが白に相当するが、デジタルγ補正回路３とＤＡＣ４との間に液晶表示素子の面内の色むらを補正する回路がある場合、その補正でオーバーフローを起こさないよう意図的にフルレンジで処理しないことがあるため、本発明の各実施の形態におけるの説明では、黒と白のデジタルデータを数値で扱っていない。
【００４６】
また、入力映像信号がコンポーネント信号の場合は、ＡＤＣ１でデジタルデータ化した後、マトリクス変換することでＲＧＢフォーマットに変換できるが、マトリクス変換をどの部分に入れるかは本発明では限定しないが、例としてデジタルγ補正回路３の後でマトリクス変換を行なうのであれば、Ｙ信号の黒、および１００％白信号レベルで信号セレクタ９の切換制御を行なうことで同様の効果を持たせることができる。
【００４７】
また、映像信号のデジタルデータをＲＧＢではなくコンポーネントフォーマットで扱うシステムであれば、入力映像信号がＲＧＢ信号の場合はＡＤＣ１でデジタルデータ化した後、マトリクス変換のよりコンポーネントフォーマットに変換され、前述の方法と同じく同様の効果を持たせることができ、本特発明は、デジタルデータのフォーマットを限定するものではない。
【００４８】
また、映像が緑単色の場合、一般的な液晶表示素子の場合、赤および青は前述の説明のように僅かながら光を透過するため、緑単色＋赤、および青の黒輝度の合成色になり、色純度劣化の原因になる。デジタルデータのフォーマットがＲＧＢの場合、信号レベルの検出、および伸長をＲＧＢ独立で行なうことで、赤および青の黒輝度を抑えこの色純度劣化の改善をはかることができる。ただし、ＲＧＢ独立で行なうかＲＧＢ連動で行なうかは、デジタル処理をおこなうＩＣまたはシステムによりどちらが処理しやすいか決められるため本発明では限定しない。
【００４９】
また、第２の実施の形態または第３の実施の形態においては、第１の実施の形態とは異なりスケーリングの状態に依存するものではない。
【００５０】
【発明の効果】
上述のように本発明により、映像信号のスケーリング変換回路を有する液晶表示素子を使用した表示装置において、スケーリング変換情報に基づき、デジタルγ補正回路出力後のアナログ映像信号に黒伸長を施すことことで入力映像信号を表示しない領域の黒の輝度を落とし中間調の階調再現の劣化を抑えた液晶表示装置を提供することができる。
【００５１】
また、本発明により、デジタルγ補正回路を有する液晶表示素子を使用した表示装置において、デジタルγ補正回路におけるデジタル映像信号の黒検出に基づき、デジタルγ補正回路出力後のアナログ映像信号に黒伸長を施すことで表示映像の黒の輝度を落とし中間調の階調再現の劣化を抑えた液晶表示装置を提供することができる。
【００５２】
さらに、本発明により、デジタルγ補正回路を有する液晶表示素子を使用した表示装置において、デジタルγ補正回路におけるデジタル映像信号の白検出に基づき、デジタルγ補正回路出力後のアナログ映像信号に白伸長を施すことで表示映像の白の輝度を上げ中間調の階調再現の劣化を抑えた液晶表示装置を提供することができる。
【図面の簡単な説明】
【図１】本発明の実施形態の液晶表示装置の回路ブロック図の一例
【図２】一般的なノーマリーホワイト型液晶表示素子の液晶基板間電圧−透過率の特性の一例
【図３】従来技術における液晶表示装置におけるγ補正の一例
【図４】従来技術における液晶表示装置におけるγ補正の一例
【図５】従来技術における液晶表示装置の回路ブロック図の一例
【図６】従来技術における液晶表示装置での画像表示例
【図７】従来技術における液晶表示装置での画面表示例
【図８】本発明の実施形態の液晶表示装置での画面表示例
【図９】本発明の実施形態の液晶表示装置の回路ブロック図の一例
【図１０】従来技術における液晶表示装置での画像表示例
【図１１】従来技術における液晶表示装置での画像表示例
【図１２】本発明の実施形態の液晶表示装置での画面表示例
【図１３】本発明の実施形態の液晶表示装置の回路ブロック図の一例
【図１４】従来技術における液晶表示装置での画像表示例
【図１５】従来技術における液晶表示装置での画像表示例
【図１６】本発明の実施形態の液晶表示装置での画面表示例
【符号の説明】
１  ＡＤＣ（Ａｎａｌｏｇ  Ｄｉｇｉｔａｌ  Ｃｏｎｖｅｒｔｅｒ）
２  スケーリング変換回路
３  デジタルγ補正回路
４  ＤＡＣ（Ｄｉｇｉｔａｌ  Ａｎａｌｏｇ  Ｃｏｎｖｅｒｔｅｒ）
５  ブライト・コントラスト制御回路
６  サンプルホールド回路
７  液晶表示素子
８  黒伸長信号作成回路
９  信号セレクタ
１０  白伸長信号作成回路
【図１】
2004246093.tif 000003
【図２】
2004246093.tif 000004
【図３】
2004246093.tif 000005
【図４】
2004246093.tif 000006
【図５】
2004246093.tif 000007
【図６】
2004246093.tif 000008
【図７】
2004246093.tif 000009
【図８】
2004246093.tif 000010
【図９】
2004246093.tif 000011
【図１０】
2004246093.tif 000012
【図１１】
2004246093.tif 000013
【図１２】
2004246093.tif 000014
【図１３】
2004246093.tif 000015
【図１４】
2004246093.tif 000016
【図１５】
2004246093.tif 000017
【図１６】
2004246093.tif 000018